(57)【要約】【課題】掃除中に起毛布が外れることがなく、また、起毛布が磨耗しても掃除面を損傷するおそれのない操作性にすぐれた電気掃除機の吸込み具を提供する。【解決手段】吸込み口７を有する下ケース２と、この下ケース２内に回転自在に支持された回転ブラシ２１と、下ケース２の上面を覆う上ケース３，４と、下ケース２と上ケース４に挟持された接続パイプ５とを備え、下ケース２の前面から底面にかけて吸込み口７と区画された起毛布取付部１０を設け、この起毛布取付部１０に起毛布３０を取付けた。【選択図】        図１
2004283406.tif 000002
【特許請求の範囲】
【請求項１】
吸込み口を有する下ケースと、該下ケース内に回転自在に支持された回転ブラシと、前記下ケースの上面を覆う上ケースと、前記下ケースと上ケースに挟持された接続パイプとを備え、
前記下ケースの前面から底面にかけて前記吸込み口と区画された起毛布取付部を設け、該起毛布取付部に起毛布を取付けたことを特徴とする電気掃除機の吸込み具。
【請求項２】
前記起毛布を、前面に周壁を有するほぼＬ字状の支持体と、軟質材が設けられ前記支持体の周壁内に接着される起毛布基材とによって構成し、該起毛布基材の厚みを前記支持体の周壁の高さより厚くしたことを特徴とする請求項１記載の電気掃除機の吸込み具。
【請求項３】
前記起毛布を、本体の前面より突出させたことを特徴とする請求項１又は２記載の電気掃除機の吸込み具。
【発明の詳細な説明】
【０００１】
【発明の属する技術分野】
本発明は、電気掃除機の吸込み具に関するものである。
【０００２】
【従来の技術】
従来の電気掃除機の吸込み具に、下部ケースに配した塵埃通路の前方及び後方に起毛布を配した吸込み口体において、起毛布が取付けられた取付部品を、下部ケースの底面から前壁及び後壁にかけて、取付部品及び起毛布の端部を塵埃通路の内側に突出して取付けることにより、下部ケースの底面から前壁や後壁を保護し、段差部等においても吸込み口体への衝撃を軽減して耐久性を向上すると共に、不快音の発生を軽減するようにしたものがある（例えば、特許文献１参照）。
【０００３】
【特許文献１】
特開２００１−８７１７７号公報（第５頁、図５−図７）
【０００４】
【発明が解決しようとする課題】
特許文献１に記載の吸込み口体においては、取付部品及び起毛布が塵埃通路の内側まで突出しているため、掃除中に敷居の段差部等の障害物や毛足の長い絨毯などに接触した場合、下部ケースから外れ易い。
また、毛足の長い絨毯等を掃除する場合、下部ケースより先に起毛布及び取付部品が触れるため引掛り易く、操作性が悪い。
さらに、起毛布が磨耗すると取付部品が直接掃除面に当るため、掃除面が傷付き易い等、種々問題がある。
【０００５】
本発明は、上記の課題を解決するためになされたもので、掃除中に起毛布が外れることがなく、また、起毛布が磨耗しても掃除面を損傷するおそれのない操作性にすぐれた電気掃除機の吸込み具を提供することを目的としたものである。
【０００６】
【課題を解決するための手段】
本発明に係る電気掃除機の吸込み具は、吸込み口を有する下ケースと、該下ケース内に回転自在に支持された回転ブラシと、前記下ケースの上面を覆う上ケースと、前記下ケースと上ケースに挟持された接続パイプとを備え、前記下ケースの前面から底面にかけて前記吸込み口と区画された起毛布取付部を設け、該起毛布取付部に起毛布を取付けたものである。
【０００７】
【発明の実施の形態】
図１は本発明の一実施の形態に係る吸込み具の下面図、図２は図１の斜視図、図３は図１の上面図、図４は図１のＡ−Ａ断面図である。
吸込み具１（以下、本体と記すことがある）は左右方向に長く、下面の長手方向に吸込み口７を有し、両側壁に複数の側面空気孔８が設けられた下ケース２と、前後に分割されて下ケース２の上面を覆う上ケース３，４と、下ケース２と上ケース４との間に挟持された接続パイプ５と、下ケース２の前面及び側面の一部に設けられ、本体１を保護するバンパー６とを備えている。
【０００８】
また、下ケース２の前面側の両側のバンパー６の下から底面におけて一対の起毛布取付部１０が設けられている。この起毛布取付部１０は、図５（図５は上下を逆にしてある）に示すように、バンパー６の下から大きな円弧部を介して底面に至り、吸込み口７と区画する下フレーム２の底部と同じ高さでほぼコ字状の区画壁１１を有し、この区画壁１１内の吸込み口７側にはこれより低い位置に平坦な取付部１２が設けられており、取付部１２の前面側中央部のこれより低い位置には、後述の起毛布の位置決め孔１３が設けられている。１４ａ，１４ｂは位置決め孔１３の両側に設けた係止孔である。そして、前面側には縦壁１５が形成され、縦壁１５とバンパー６との間には挿通孔１６が設けられている（図４参照）。
【０００９】
再び図１、図２において、起毛布取付部１０の間には、所定の間隔で設けられたガイド壁１８の間に吸込み口７に連通する複数の前風路１７が設けられており、ガイド壁１８の高さは、起毛布取付部１０の区画壁１１の高さとほぼ等しく形成されている。１９は下ケース２の底面後部の長手方向に設けられ、軟質材植毛等からなる清掃体２０の取付溝である。
また、本体１の吸込み口７内には、外周に刷毛やブレードなど２２が装着された回転ブラシ２１が収容されており、両端部が軸受２３を介して下ケース２に回転自在に支持されている。
【００１０】
起毛布３０は、図６に示すように、断面ほぼＬ字状の支持体３１と、植毛等によって軟質材４２が設けられて支持体３１に接着された起毛布基材４１とからなっている。なお、図６において、（ａ）は起毛布の全体構成を示す斜視図、（ｂ）は（ａ）の中央縦断面図、（ｃ）は支持体３１の展開図、（ｄ）は（ｃ）のＢ−Ｂ断面図である。
【００１１】
支持体３１は水平片３２と、大きな円弧部３４を介して上方に延設された垂直片３３とからなり、水平片３２の内面側の中央部には、起毛布取付部１０の位置決め孔１３に嵌入する位置決めピン３５が突設されており、その両側には先端部に係止爪３７を有し、起毛布取付部１０の係止孔１４ａ，１４ｂに係止する一対の係止片３６ａ，３６ｂが設けられている。なお、この支持体３１の外形は起毛布取付部１０の区画壁１１内に挿入しうる大きさとなっている。
【００１２】
また、支持体３１の垂直片３３の上部には、起毛布取付部１０の挿通孔１６に挿入する挿入片３８が設けられており、外面側の周縁部には低い周壁３９が設けられて、周壁３９で囲まれた領域には基材装着部４０が形成されている。
そして、厚みが支持体３１の周壁３９の高さより厚く、表面に軟質材４２が植毛等によって設けられた起毛布基材４１が、この基材装着部４０の表面に沿って接着剤により接着される。
【００１３】
上記のような起毛布３０は、起毛布３０を下ケース２の起毛布取付部１０上に位置させ、その係止片３６ａ，３６ｂを係止孔１４ａ，１４ｂに挿入すると共に、位置決めピン３５を位置決め孔１３に挿入し、圧下する。これにより、係止片３６ａ，３６ｂの係止爪３７が係止孔１４ａ，１４ｂに係止し、また、挿入片３８が挿入孔１６に挿入されて、起毛布３０は区画壁１０内において起毛布取付部１０に装着され、強固に固定される。
このとき、軟質材４２を含む起毛布基材４１の下面は、起毛布取付部１０の区画壁１１を含む下ケース２の下面より下方に位置し、前面はバンパー６（本体１の最前部）より前面に位置する（図１、図３、図４、図７参照）。
【００１４】
上記のように構成した吸込み具１は、その接続パイプ５が図示しない電気掃除機本体に接続されたホースの握り部又は握り部に接続された延長管に接続され、清掃体２０と起毛布３０によって清掃面上に支持された吸込み具１を、握り部により前後左右等に移動させて清掃作業を行う。このとき、電気掃除機本体の運転によって吸込み具１に吸引力が作用し、掃除面上の塵埃を吸込み口７及び前風路１７から吸引し、電気掃除機本体の集塵室に集塵する。また、前記吸引力による空気流によって回転ブラシ２１が回転し、清掃体２０と共に掃除面を清掃する。
【００１５】
本発明に係る吸込み具１によれば、起毛布取付部１０に取付けた起毛布３０を区画壁１１によって吸込み口７及び前風路１７と区画したので、掃除中に吸込み具１が敷居の段差部等の障害物や毛足の長い絨毯等に接触した場合でも、下ケース２や上ケース３で起毛布３０をサポートし、直接起毛布３０に衝撃が加わることがないため、起毛布３０が下ケース２から外れることがない。
【００１６】
また、ほぼＬ字状の起毛布３０の角部を大きな円弧部３４によって形成したので、吸込み具１の移動にあたって抵抗が少なく、さらに、毛足の長い絨毯等の上などにおいては、起毛布３０より先に下ケース２が接触するため抵抗が少ないので、操作性がよい。
また、起毛布３０の支持体３１の周壁３９を、起毛布基材４１の厚みより低くしたので、軟質材４２が磨耗しても支持体３１が掃除面に接触することがなく、掃除面を傷つけることがない。
【００１７】
さらに、起毛布３０が本体１の最前部（バンパー６）より突出しているので、吸込み具１が壁５０などの障害物に当ったときに、衝撃を緩和することができる。
また、壁際などの掃除の際に起毛布３０が壁５０などに当っても、図３、図７に示すように、本体１と壁５０などとの間にすき間ｇが形成されるので、このすき間から空気が吸引されて塵埃を吸込むことができるため、操作性を損ねることがない。さらに、吸引された空気流によって回転ブラシを回転させるタービンブラシ式の吸込み具においても、前述のようにすき間ｇから空気が吸込まれるので、回転が低下することはない。
【００１８】
上記の説明では、図示の吸込み具に本発明を実施した場合を示したが、本発明はこれに限定するものではなく、例えば、下ケース内に設けたモータにより回転ブラシを回転させる方式の吸込み具など、他の方式、構造の吸込み具にも実施することができる。
【００１９】
【発明の効果】
本発明に係る電気掃除機の吸込み具は、下ケースの前面から底面にかけて吸込み口と区画された起毛布取付部を設け、この起毛布取付部に起毛布を取付けたので、掃除中に起毛布が外れることがなく、また、起毛布が磨耗しても掃除面を損傷するおそれのない操作性にすぐれた吸込み具を得ることができる。
【図面の簡単な説明】
【図１】本発明の一実施の形態に係る電気掃除機の吸込み具の下面図である。
【図２】図１の斜視図である。
【図３】図１の上面図である。
【図４】図１のＡ−Ａ断面図である。
【図５】図１の起毛布取付部の斜視図である。
【図６】図１の起毛布の斜視図、中央縦断面図、起毛布基材の展開図及びそのＢ−Ｂ断面図である。
【図７】本実施の形態の作用説明図である。
【符号の説明】
１  吸込み具（本体）、２  下ケース、３，４  上ケース、５  接続パイプ、６  バンパー、７  吸込み口、１０  起毛布取付部、１７  前風路、２１  回転ブラシ、３０  起毛布、３１  支持体、３９  周壁、４１  起毛布基材、４２  軟質材。
【図１】
2004283406.tif 000003
【図２】
2004283406.tif 000004
【図３】
2004283406.tif 000005
【図４】
2004283406.tif 000006
【図５】
2004283406.tif 000007
【図６】
2004283406.tif 000008
【図７】
2004283406.tif 000009